(57)【特許請求の範囲】
【請求項１】
超音波診断装置としての電子回路が収容され、第１辺から第４辺まで順に繋がった四辺形および底面を有する箱状本体部と、
前記箱状本体部に対して蓋状に開閉できるように、前記箱状本体部における第１辺の中央より第２辺に近い第１蝶番および第１辺の中央より第４辺に近い第２蝶番の機構で取り付けられ、開閉できる蓋の内側の面に超音波画像が表示されるパネル型表示装置が設置され、前記底面と略同一の面積を有する蓋状表示部とを具備しており、
前記第1蝶番および前記第２蝶番における蓋側蝶板は、平板状であって、前記蓋状表示部の前記内側の面にそれぞれ固定され、
第１蝶番の本体側蝶番は、前記箱状本体部の第１辺から第２辺への角に合ったＬ板状であって、前記箱状本体部の前記角に合わせて固定され、
第２蝶番の本体側蝶番は、前記箱状本体部の第１辺から第４辺への角に合ったＬ板状であって、前記箱状本体部に前記角に合わせて固定されており、
前記四辺形における第２辺および第１蝶番の本体側蝶番を貫通して回転軸の一方が取り付けられるとともに、前記四辺形における第４辺および第２蝶番の本体側蝶番を貫通して回転軸の他方が取り付けられ、前記蓋状表示部が取り付けられた箱状本体部における第１辺、第２辺および第４辺の外側へ飛び出すように前記箱状本体部に取り付けられた１つのハンドル部を具備しており、
前記蓋状表示部を開いた状態における前記箱状本体部の上面に超音波診断装置の操作スイッチが配設されており、
前記箱状本体部の第１辺にプローブのコネクタが設けられたことを特徴とする超音波診断装置。
【請求項２】
請求項１に記載の超音波診断装置において、
前記ハンドル部が、前記箱状本体部の底面を延長した面に平行となる角度を０゜とするとき、少なくとも０゜から底面側に１１０゜までの範囲で角度可変であることを特徴とする超音波診断装置。
【請求項３】
請求項１または請求項２に記載の超音波診断装置において、
前記ハンドル部が、段階的に安定な角度を持つことを特徴とする超音波診断装置。
【請求項４】
請求項１から請求項３のいずれかに記載の超音波診断装置において、
前記ハンドル部が、手に吊り下げて持ち運ぶための携帯用形状であることを特徴とする超音波診断装置。
【請求項５】
請求項１から請求項３のいずれかに記載の超音波診断装置において、
前記ハンドル部が、垂直な壁面に取り付けるための壁取付用形状であることを特徴とする超音波診断装置。
【請求項６】
請求項１から請求項３のいずれかに記載の超音波診断装置において、
前記ハンドル部が、車輪のついたカートに取り付けるためのカート取付用形状であることを特徴とする超音波診断装置。
【請求項７】
請求項１から請求項３のいずれかに記載の超音波診断装置において、
前記ハンドル部が、垂直に立設されたスタンドに取り付けるためのスタンド取付用形状であることを特徴とする超音波診断装置。
【請求項８】
請求項１から請求項７のいずれかに記載の超音波診断装置において、
前記ハンドル部が、形状の異なる２種類以上を交換可能であることを特徴とする超音波診断装置。
【請求項９】
請求項８に記載の超音波診断装置において、
前記ハンドル部が、前記携帯用形状と、前記壁取付用形状と、前記カート取付用形状と、前記スタンド取付用形状のうちの少なくとも２種類であることを特徴とする超音波診断装置。
【請求項１０】
請求項１から請求項９のいずれかに記載の超音波診断装置において、
前記ハンドル部にクッション材が取り付けられていることを特徴とする超音波診断装置。
【請求項１１】
請求項１から請求項１０のいずれかに記載の超音波診断装置において、
前記箱状本体部の第１辺に電源用のコネクタまたは通信用のコネクタを設けたことを特徴とする超音波診断装置。
【請求項１２】
請求項１から請求項１１のいずれかに記載の超音波診断装置において、
前記パネル型表示装置が、液晶表示装置であることを特徴とする超音波診断装置。
【発明の詳細な説明】
【０００１】
【発明の属する技術分野】
本発明は、電子機器に関し、さらに詳しくは、機械的強度を維持したまま小型化または内部空間を広げることができる電子機器に関する。
【０００２】
【従来の技術】
図１１に、従来の電子機器（例えばノートパソコン）の構造例を示す。
この電子機器は、電子回路が収容された箱状本体部１０と、箱状本体部１０に対して蓋状に開閉できるように箱状本体部１０の一辺に２個の蝶番７１，７２で取り付けられ且つ液晶ディスプレイ２１が設置された蓋状表示部２０とを具備している。
第１蝶番７１は、蓋側蝶板７１ａが蓋状表示部２０に固定され、本体側蝶番７１ｂが箱状本体部１０の一辺の左端近傍に固定されている。
第２蝶番７２は、蓋側蝶板７２ａが蓋状表示部２０に固定され、本体側蝶番７２ｂが箱状本体部１０の一辺の右端近傍に固定されている。
さらに、第１蝶番７１の本体側蝶番７１ｂと第２蝶番７２の本体側蝶番７２ｂとは、箱状本体部１０の内部に設けられた補強板８０に一体化され、機械的強度のある構造体を形成している。
【０００３】
【発明が解決しようとする課題】
図１１に示す従来の電子機器の構造では、補強板８０が箱状本体部１０の内部空間を狭くする。従って、電子回路を収容するために箱状本体部１０の内部空間を広げようとすると、全体を大型化しなければならない問題点がある。
一方、補強板８０を省略すると、箱状本体部１０の内部空間が広がるが、液晶ディスプレイ２１のために比較的重い蓋状表示部２０を第１蝶番７１と第２蝶番７２とで個別に支持することになり、機械的強度が大きく落ちてしまう問題点がある。
そこで、本発明の目的は、機械的強度を維持したまま小型化または内部空間を広げることができる電子機器を提供することにある。
【０００４】
【課題を解決するための手段】
第１の観点では、本発明は、電子機器としての電子回路が収容された箱状本体部と、前記箱状本体部に対して蓋状に開閉できるように前記箱状本体部の一辺に複数の蝶番機構で取り付けられ且つパネル型表示装置が設置された蓋状表示部と、前記蓋状表示部が取り付けられた箱状本体部の辺の外側へ飛び出すように前記箱状本体部に取り付けられたハンドル部とを具備してなり、前記複数の蝶番機構と前記ハンドル部とが機械的強度のある構造体を一体的に形成していることを特徴とする電子機器を提供する。
上記第１の観点による電子機器では、箱状本体部の内部に補強板を入れないため、箱状本体部の内部空間が広がる。従って、箱状本体部を小型化しても電子回路を収容できる。また、箱状本体部の外側へ飛び出したハンドル部と複数の蝶番機構により構造体を一体的に形成しているため、十分な機械的強度を維持できる。よって、機械的強度を維持したまま、小型化または内部空間を広げることができる。
【０００５】
第２の観点では、本発明は、上記構成の電子機器において、前記箱状本体部が第１辺から第４辺まで順に繋がった四辺形であり、前記複数の蝶番機構が、第１辺の中央より第２辺に近い第１蝶番および第１辺の中央より第４辺に近い第２蝶番の２個からなり、両蝶番の蓋側蝶板は平板状であって前記蓋状表示部にそれぞれ固定され、第１蝶番の本体側蝶番は前記箱状本体部の第１辺から第２辺への角を渡るＬ板状であって前記箱状本体部に固定され、第２蝶番の本体側蝶番は前記箱状本体部の第１辺から第４辺への角を渡るＬ板状であって前記箱状本体部に固定され、前記ハンドル部は、第１蝶番の本体側蝶番の第２辺に回った部分と第２蝶番の本体側蝶番の第４辺に回った部分とに結合されていることを特徴とする電子機器を提供する。
上記第２の観点による電子機器では、Ｌ板状の蝶番を用いるため、箱状本体部の角を補強できる。よって、蓋状表示部を支持する機械的強度だけでなく、箱状本体部の機械的強度も補強することが出来る。
【０００６】
第３の観点では、本発明は、上記構成の電子機器において、前記ハンドル部が、前記箱状本体部に対して角度可変であることを特徴とする電子機器を提供する。
上記第３の観点による電子機器では、箱状本体部に対して角度可変なハンドル部とすることにより、使い勝手を向上できる。
【０００７】
第４の観点では、本発明は、上記構成の電子機器において、前記ハンドル部が、箱状本体部の底面を延長した面に平行となる角度を０゜とするとき、少なくとも０゜から底面側に１１０゜までの範囲で角度可変であることを特徴とする電子機器を提供する。
上記第４の観点による電子機器では、箱状本体部の底面を延長した面に平行となる角度０゜から底面側に１１０゜までの範囲でハンドル部を角度可変なので、箱状本体部の一部をハンドル部で持ち上げるようにして所望の傾斜で箱状本体部を設置できる。
【０００８】
第５の観点では、本発明は、上記構成の電子機器において、前記ハンドル部が、段階的に安定な角度を持つことを特徴とする電子機器を提供する。
上記第５の観点による電子機器では、ハンドル部が段階的に安定な角度を持つため、角度変更操作を節動的に行うことができ、角度変更操作が容易になる。また、決めた角度を安定にできる。
【０００９】
第６の観点では、本発明は、上記構成の電子機器において、前記ハンドル部が、手に吊り下げて持ち運ぶための携帯用形状であることを特徴とする電子機器を提供する。
上記第６の観点による電子機器は、手で持って運ぶのに好適となる。
【００１０】
第７の観点では、本発明は、上記構成の電子機器において、前記ハンドル部が、垂直な壁面に取り付けるための壁取付用形状であることを特徴とする電子機器を提供する。
上記第７の観点による電子機器は、壁面に取り付けるのに好適となる。
【００１１】
第８の観点では、本発明は、上記構成の電子機器において、前記ハンドル部が、車輪のついたカートに取り付けるためのカート取付用形状であることを特徴とする電子機器を提供する。
上記第８の観点による電子機器は、カートに取り付けるのに好適となる。
【００１２】
第９の観点では、本発明は、上記構成の電子機器において、前記ハンドル部が、垂直に立設されたスタンドに取り付けるためのスタンド取付用形状であることを特徴とする電子機器を提供する。
上記第９の観点による電子機器は、スタンドに取り付けるのに好適となる。
【００１３】
第１０の観点では、本発明は、上記構成の電子機器において、前記ハンドル部が、形状の異なる２種類以上を交換可能であることを特徴とする電子機器を提供する。
上記第１０の観点による電子機器では、形状の異なるハンドル部を交換することにより、使い勝手を向上できる。
【００１４】
第１１の観点では、本発明は、上記構成の電子機器において、前記ハンドル部が、前記携帯用形状と、前記壁取付用形状と、前記カート取付用形状と、前記スタンド取付用形状のうちの少なくとも２種類であることを特徴とする電子機器を提供する。
上記第１１の観点による電子機器は、手で持って運んだり、壁面に取り付けたり、カートに取り付けたり、スタンドに取り付けたりする際に、好適な形状のハンドル部に交換でき、使い勝手を向上できる。
【００１５】
第１２の観点では、本発明は、上記構成の電子機器において、前記ハンドル部にクッション材が取り付けられていることを特徴とする電子機器を提供する。
上記第１２の観点による電子機器では、ハンドル部のクッション材により、手で持ちやすくしたり、載置したときに滑りにくくすることが出来る。
【００１６】
第１３の観点では、本発明は、上記構成の電子機器において、前記箱状本体部の第１辺にコネクタを設けたことを特徴とする電子機器を提供する。
上記第１３の観点による電子機器では、コネクタをハンドル部で保護することが容易になる。
【００１７】
第１４の観点では、本発明は、上記構成の電子機器において、前記蓋状表示部が、箱状本体部の上面に被せられたときの角度を０゜とするとき、０゜から１８０゜に開いた角度までの範囲の任意の角度で止めることが可能であることを特徴とする電子機器を提供する。
上記第１４の観点による電子機器では、見やすい角度に蓋状表示部を止めることが出来る。
【００１８】
第１５の観点では、本発明は、上記構成の電子機器において、前記パネル型表示装置が、液晶表示装置であることを特徴とする電子機器を提供する。
上記第１５の観点による電子機器では、蓋状表示部を薄型化できる。
【００１９】
第１６の観点では、本発明は、上記構成の電子機器において、電子機器が超音波診断装置であることを特徴とする電子機器を提供する。
上記第１６の観点による電子機器は、携帯できる超音波診断装置となり、超音波診断装置の使い勝手を向上できる。
【００２０】
【発明の実施の形態】
以下、図に示す実施の形態により本発明を詳細に説明する。なお、これにより本発明が限定されるものではない。
【００２１】
図１は、本発明の一実施形態にかかる超音波診断装置を示す構成図である。
この超音波診断装置１０１は、超音波診断装置としての電子回路が収容された箱状本体部１０と、箱状本体部１０に対して蓋状に開閉できるように箱状本体部１０の一辺に取り付けられ且つ液晶ディスプレイ２１が設置された蓋状表示部２０と、蓋状表示部２０が取り付けられた箱状本体部１０の一辺の外側へ飛び出すように箱状本体部１０に取り付けられた携帯用ハンドル（ハンドル部）３１と、箱状本体部１０のコネクタに接続されたプローブ１２とを具備している。
【００２２】
図２は、超音波診断装置１０１の構造を示す斜視図である。
第１蝶番４１は、平板状の蓋側蝶板４１ａが蓋状表示部２０の左端下部近傍に固定され、Ｌ板状の本体側蝶番４１ｂが箱状本体部１０の第１辺１１と第２辺１２の角部分に固定されている。
第２蝶番４２は、平板状の蓋側蝶板４２ａが蓋状表示部２０の右端下部近傍に固定され、Ｌ板状の本体側蝶番４２ｂが箱状本体部１０の第１辺１１と第４辺１４の角部分に固定されている。
さらに、箱状本体部１０の第２辺１２に回っている本体側蝶番４１ｂと箱状本体部１０の第４辺１４に回っている本体側蝶番４２ｂとに、携帯用ハンドル３１が取り付けられている。
【００２３】
図３は、箱状本体部１０の第１辺１１と第２辺１２の角の方向から見た超音波診断装置１０１の構造を示す斜視図である。
携帯用ハンドル３１は、箱状本体部１０の底面を延長した面に平行となる角度０゜から底面側に１１０゜までの範囲で角度可変であり、５゜毎に角度安定性が高くなっている。
また、携帯用ハンドル３１の中央部には、クッション材３１ａが巻着されている。
【００２４】
図４は、箱状本体部１０の第１辺１１と第２辺１２の角の方向から見た超音波診断装置１０１の外観を示す斜視図である。
蓋状表示部２０は、箱状本体部１０の上面に被せられたときの角度０゜から１８０゜に開いた角度までの範囲の任意の角度で止めることが可能である。
また、箱状本体部１０の第１辺１１に、プローブ用コネクタ５１，通信用コネクタ５２および電源用コネクタ５３が設けられている。
【００２５】
図５は、第１蝶番４１の変形例である。
補強板４１ｃを追加しているので、機械的強度を高めることが出来る。
【００２６】
図６は、ハンドル部を壁掛用ハンドル３２に交換し、垂直な壁Ｗに取り付けた状態の説明図である。
図７に示すように、壁掛用ハンドル３２には止めネジ用穴３２ａが穿設されており、止めネジで壁Ｗに取り付けることが出来る。
【００２７】
図８は、ハンドル部をカート用ハンドル３３に交換し、カートＫに取り付けた状態の説明図である。
図９に示すように、カート用ハンドル３３には取付ネジ３３ａが付属しており、この取付ネジ３３ａでカートＫに取り付けることが出来る。なお、カートＫの天面には、取付ネジ３３ａに螺合する雌ねじ穴が設けられている。
【００２８】
図１０は、ハンドル部をスタンド用ハンドル３４に交換し、スタンドＳに取り付けた状態の説明図である。
スタンド用ハンドル３４には固定ネジ３４ａが付属しており、この固定ネジ３４ａでスタンドＳに取り付けることが出来る。なお、スタンドＳの背面は、固定ネジ３４ａで安定に固定しやすくするため、凹凸面になっている。
【００２９】
上記超音波診断装置１０１によれば次の効果が得られる。
（１）箱状本体部１０の内部に補強板を入れないため、箱状本体部１０の内部空間が広がる。従って、箱状本体部１０を小型化しても電子回路を収容できる。また、箱状本体部１０の外側へ飛び出したハンドル部（３１〜３４）と蝶番４１，４２により構造体を一体的に形成しているため、十分な機械的強度を維持できる。よって、機械的強度を維持したまま、小型化または内部空間を広げることができる。
（２）Ｌ板状の蝶番４１，４２を用いるため、箱状本体部１０の角を補強できる。よって、蓋状表示部２０を支持する機械的強度だけでなく、箱状本体部１０の機械的強度も補強することが出来る。
【００３０】
（３）箱状本体部１０の底面を延長した面に平行となる角度０゜から底面側に１１０゜までの範囲でハンドル部（３１〜３４）を角度可変なので、箱状本体部１０を所望の傾斜で設置できる。
（４）ハンドル部（３１〜３４）が５゜毎に安定な角度を持つため、角度変更操作を節動的に行うことができ、角度変更操作が容易になる。また、角度０゜，５゜，１０゜，…，１０５゜，１１０゜で安定支持できる。
【００３１】
（５）携帯用ハンドル３１を用いれば、手で持って運ぶのに好適となる。壁取付ハンドル３２に交換すれば、壁面Ｗに取り付けるのに好適となる。カート用ハンドル３３に交換すれば、カートＫに取り付けるのに好適となる。スタンド用ハンドル３４に交換すれば、スタンドＳに取り付けるのに好適となる。
（６）携帯用ハンドル３１のクッション材３１ａにより、手で持ちやすくなる。また、載置したときに滑りにくくなる。
【００３２】
（７）携帯用ハンドル３１を角度０゜にすれば、コネクタ（５１〜５３）を保護することが出来る。
（８）蓋状表示部２０を、箱状本体部１０の上面に被せた角度０゜から１８０゜に開いた角度までの範囲の見やすい角度に止めることが出来る。
【００３３】
【発明の効果】
本発明の電子機器によれば、機械的強度を維持したまま、小型化または内部空間を広げることが出来る。
【図面の簡単な説明】
【図１】本発明の一実施形態にかかる超音波診断装置を示す斜視図である。
【図２】本発明の一実施形態にかかる超音波診断装置の構造を示す斜視図である。
【図３】本発明の一実施形態にかかる超音波診断装置の構造を別の角度から示す斜視図である。
【図４】本発明の一実施形態にかかる超音波診断装置のコネクタを示す斜視図である。
【図５】蝶番の変形例を示す斜視図である。
【図６】ハンドル部を壁掛用ハンドルに交換した場合の斜視図である。
【図７】壁掛用ハンドルの斜視図である。
【図８】ハンドル部をカート用ハンドルに交換した場合の斜視図である。
【図９】カート用ハンドルの斜視図である。
【図１０】ハンドル部をスタンド用ハンドルに交換した場合の斜視図である。
【図１１】従来の電子機器の構造を示す斜視図である。
【符号の説明】
１０１              超音波診断装置
１０                箱状本体部
１２                プローブ
２０                蓋状表示部
２１                液晶ディスプレイ
３１                携帯用ハンドル
３２                壁掛用ハンドル
３３                カート用ハンドル
３４                スタンド用ハンドル
４１，４２          蝶番
４１ａ，４２ａ      蓋側蝶板
４１ｂ，４２ｂ      本体側蝶板
５１                プローブ用コネクタ
５２                通信用コネクタ
５３                電源用コネクタ
【図１】
0003992455.tif 000002
【図２】
0003992455.tif 000003
【図３】
0003992455.tif 000004
【図４】
0003992455.tif 000005
【図５】
0003992455.tif 000006
【図６】
0003992455.tif 000007
【図７】
0003992455.tif 000008
【図８】
0003992455.tif 000009
【図９】
0003992455.tif 000010
【図１０】
0003992455.tif 000011
【図１１】
0003992455.tif 000012